(57)【要約】 【課題】  構成を簡素化して、施工性を向上することができる天井用伸縮継手装置を提供する。【解決手段】  ホルダ部材４７の一端部を案内保持手段４５によって第１水平方向Ａに移動自在に保持し、他端部を他方の縁材４４ｂによって第２水平方向Ｂに移動自在に保持し、部品点数を削減し、構成を格段に簡素化して、可動カバー体４８を第１および第２水平方向Ａ，Ｂに移動可能とする。【選択図】      図１
2006089938.tif 000002
【特許請求の範囲】
【請求項１】
第１水平方向に空隙をあけて隣接する２つの天井構造体間にわたって設けられる天井用伸縮継手装置であって、
各天井構造体の相互に対向する各対向部にそれぞれ固定され、前記第１水平方向に垂直な第２水平方向に延びる縁材と、
一方の縁材に第２水平方向に間隔をあけて設けられる複数の案内保持手段と、
第１水平方向の一端部および他端部間の中間部が、各案内保持手段によって第１水平方向に移動自在に保持され、第１水平方向の他端部が、前記他方の縁材によって第１水平方向の移動が阻止された状態で、第２水平方向に移動自在に保持される複数のホルダ部材と、
各ホルダ部材に固定され、各縁材間の前記空隙を覆う可動カバー体とを含むことを特徴とする天井用伸縮継手装置。
【請求項２】
前記複数の案内保持手段は、前記一方の縁材から他方の縁材に向かって第１水平方向に延び、前記ホルダ部材を第１水平方向に移動自在に保持する案内レールと、案内レールが固定されるブラケットと、ブラケットを前記一方の縁材上で支持するばねとを有することを特徴とする請求項１記載の天井用伸縮継手装置。
【発明の詳細な説明】
【技術分野】
【０００１】
本発明は、天井パネルと天井パネルとの間および天井パネルと壁面との間などのように隣接する２つの天井構造体間の空隙を塞ぎ、かつ各天井構造体の相互に近接／離反する第１水平方向およびこの第１水平方向に垂直な第２水平方向の相対的変位を許容することができる天井用伸縮継手装置に関する。
【背景技術】
【０００２】
図８は、従来の技術の天井用伸縮継手装置１を示す鉛直断面図であり、この従来の技術は特許文献１に記載されている。天井用伸縮継手装置１は、相互に間隔をあけて隣接する２つの天井構造体３ａ，３ｂ間の空隙４を、各天井板５ａ，５ｂ間で下方から覆うカバー体６と、カバー体６の裏面に、図８の紙面に垂直な空隙延在方向に間隔をあけて固定される複数のホルダ７と、各ホルダ７に移動自在に嵌り込む嵌合部材８ａ，８ｂを有し、各天井構造体３ａ，３ｂに前記ホルダ７およびカバー体６を保持する一対の保持手段９ａ，９ｂとを有する。
【０００３】
各天井構造体３ａ，３ｂは、上端部が各建物のコンクリート製スラブに固定されて垂下する複数の吊りボルト１０ａ，１０ｂの下端部に、ナット１１ａ，１１ｂによってハンガー片１２ａ，１２ｂが連結され、各ハンガー片１２ａ，１２ｂには野縁受け１３ａ，１３ｂが支持され、各野縁受け１３ａ，１３ｂの下面に溶接によって連野縁１４ａ，１４ｂが連結される。各野縁１４ａ，１４ｂの下面には、縁材１５ａ，１５ｂとともにビス１６ａ，１６ｂによって前記天井板５ａ，５ｂが固定される。
【０００４】
各保持手段９ａ，９ｂは、前述した各嵌合部材８ａ，８ｂと、各嵌合部材８ａ，８ｂに挿通されるボルト２１ａ，２１ｂと、各ボルト２１ａ，２１ｂに装着される圧縮コイルばね２２ａ，２２ｂと、各ボルト２１ａ，２１ｂに前記圧縮コイルばね２２ａ，２２ｂの上方から装着される座金２３ａ，２３ｂと、各ボルト２１ａ，２１ｂに螺着されるナット２４ａ，２４ｂとを有する。
【０００５】
各圧縮コイルばね２２ａ，２２ｂは、各座金２３ａ，２３ｂと各縁材１５ａ，１５ｂとの間に介在され、各ナット２４ａ，２４ｂをボルト２１ａ，２１ｂに対して締付けることによって、圧縮された状態で装着されている。したがって各嵌合部材８ａ，８ｂは各縁材１５ａ，１５ｂに近接する方向、すなわち図８の上方にばね付勢されている。
【０００６】
ホルダ７は、軸直角断面が図８の上方に開放した略Ｃ字状に形成され、このホルダ７内に前記嵌合部材８ａ，８ｂが摺動自在に挿入されており、各圧縮コイルばね２２ａ，２２ｂのばね力によって各縁材１５ａ，１５ｂを下方から弾発的に押圧して、ホルダ７に対して相互に変位自在に当接している。
【０００７】
このようなホルダ７は、図８の紙面に垂直な前記延在方向に間隔あけて複数設けられ、ホルダ７は各ホルダ７毎に一対の保持手段９ａ，９ｂによって保持される。
【０００８】
このようなホルダ７の長手方向両端部には、取付け金具２５ａ，２５ｂが装着されてビス２６ａ，２６ｂによって固定され、各取付け金具２５ａ，２５ｂには略Ｌ字状に屈曲された連結金具２７ａ，２７ｂがビス２８ａ，２８ｂによってそれぞれ固定され、さらに各連結金具２７ａ，２７ｂにはビス３２ａ，３２ｂによってカバー体６の幅方向両端部３０ａ，３０ｂが固定される。カバー体６の幅方向両端部３０ａ，３０ｂには、凹溝２９ａ，２９ｂが形成され、これらの凹溝２９ａ，２９ｂにはパッキン３１ａ，３１ｂが嵌着される。
【０００９】
このような構成によって、この従来の技術では、各建物２ａ，２ｂが急激な地震などによって相対的に近接／離反する第１水平方向（図８の左右方向）およびこの第１水平方向に垂直な第２水平方向（図８の紙面に垂直な方向）に変位しても、各保持手段９ａ，９ｂの嵌合部材８ａ，８ｂがホルダ７内で摺動し、ホルダ７は各縁材１５ａ，１５ｂに弾発的に押し付けられた状態で支持され、各天井構造体３ａ，３ｂ間の空隙４を塞いだ状態で、各建物２ａ，２ｂ間の相対的な変位を許容している。
【００１０】
【特許文献１】特開平１０−３７３１９号公報
【発明の開示】
【発明が解決しようとする課題】
【００１１】
このような従来の技術では、各天井構造体３ａ，３ｂの第１水平方向の変位は、各保持手段９ａ，９ｂの嵌合部材８ａ，８ｂがホルダ７内で摺動することによって許容し、第２水平方向の変位は、ホルダ７が各縁材１５ａ，１５ｂに対して移動可能であることによって許容するように構成されるので、各天井構造体３ａ，３ｂには同じ構造の保持手段９ａ，９ｂを設けており、部品点数が多く、構成が複雑であるため、施工時の組立て作業および取付け作業に手間を要し、施工性が悪いという問題がある。
【００１２】
本発明の目的は、構成を簡素化して、施工性を向上することができる天井用伸縮継手装置を提供することである。
【課題を解決するための手段】
【００１３】
本発明は、第１水平方向に空隙をあけて隣接する２つの天井構造体間にわたって設けられる天井用伸縮継手装置であって、
各天井構造体の相互に対向する各対向部にそれぞれ固定され、前記第１水平方向に垂直な第２水平方向に延びる縁材と、
一方の縁材に第２水平方向に間隔をあけて設けられる複数の案内保持手段と、
第１水平方向の一端部および他端部間の中間部が、各案内保持手段によって第１水平方向に移動自在に保持され、第１水平方向の他端部が、前記他方の縁材によって第１水平方向の移動が阻止された状態で、第２水平方向に移動自在に保持される複数のホルダ部材と、
各ホルダ部材に固定され、各縁材間の前記空隙を覆う可動カバー体とを含むことを特徴とする天井用伸縮継手装置である。
【００１４】
本発明に従えば、第１水平方向に空隙をあけて隣接する２つの天井構造体の相互に対向する各対向部に、第１水平方向に垂直な第２水平方向に延びる縁材が固定される。前記隣接する２つの天井構造体は、天井パネルと天井パネルとが隣接して構成される場合と、天井パネルと壁とが隣接して構成される場合とを含む。
【００１５】
一方の縁材には、第２水平方向に間隔をあけて複数の案内保持手段が設けられ、これらの案内保持手段は、ホルダ部材の第１水平方向の中間部を第１水平方向に移動自在に保持し、他方の縁材は、ホルダ部材の第１水平方向の他端部を第１水平方向の移動が阻止された状態で第２水平方向に移動自在に保持する。ホルダ部材には可動カバー体が固定され、この可動カバー体によって各縁材間の空隙が覆われる。
【００１６】
このようにホルダ部材の中間部を案内保持手段によって第１水平方向に移動自在に保持し、他端部を他方の縁材によって第２水平方向に移動自在に保持するので、前記従来の技術のように、各天井構造体にそれぞれ設けられる保持手段によってホルダを第１水平方向および第２水平方向に移動自在に保持する構成に比べて、前記案内保持手段は片側だけでよく、部品点数を削減し、構成を格段に簡素化することができる。したがって、現場で天井用伸縮継手装置を取付けるにあたって、組立て作業および取付け作業を容易化することができ、施工性が向上される。
【００１７】
また本発明は、前記複数の案内保持手段は、前記一方の縁材から他方の縁材に向かって第１水平方向に延び、前記ホルダ部材を第１水平方向に移動自在に保持する案内レールと、案内レールが固定されるブラケットと、ブラケットを前記一方の縁材上で支持するばねとを有することを特徴とする。
【００１８】
本発明に従えば、一方の縁材から他方の縁材に向かって第１水平方向に延びる案内レールをブラケットに固定し、ブラケットをばねによって一方の縁材上で支持するように案内保持手段が構成されるので、ブラケットは前記ばねを圧縮しまたは伸長させる上下方向に変位することができ、隣接する２つの天井構造体を構成する各天井パネル間または天井パネルおよび壁体間の上下方向の変位をも許容することができる。このようにブラケットは、ばねによって上下方向の変位も可能であるので、そのブラケットによって保持されるホルダ部材および可動カバー体の上下方向の変位をも、許容することができる。
【発明の効果】
【００１９】
本発明によれば、隣接する各天井構造体間において、ホルダ部材の中間部を案内保持手段によって第１水平方向に移動自在に保持し、他端部を他方の縁材によって第２水平方向に移動自在に保持するので、前記従来の技術のように、各天井構造体にそれぞれ設けられる保持手段によってホルダを第１水平方向および第２水平方向に移動自在に保持する構成に比べて、前記案内保持手段は片側だけでよく、部品点数を削減し、構成を格段に簡素化することができる。したがって、現場で天井用伸縮継手装置を取付けるにあたって、組立て作業および取付け作業を容易化することができ、施工性が向上される。
【００２０】
また本発明によれば、一方の縁材から他方の縁材に向かって第１水平方向に延びる案内レールをブラケットに固定し、ブラケットをばねによって一方の縁材上で支持するように案内保持手段が構成されるので、ブラケットは前記ばねを圧縮しまたは伸長させる上下方向に変位することができ、各天井構造体間の上下方向の変位をも許容することができる。このようにブラケットは、ばねによって上下方向の変位も可能であるので、そのブラケットによって保持されるホルダ部材および可動カバー体の上下方向の変位をも、許容することができる。
【発明を実施するための最良の形態】
【００２１】
図１は、本発明の実施の一形態の天井用伸縮継手装置４０を示す鉛直断面図であり、図２は図１の上方から見た案内保持手段４５の平面図である。天井用伸縮継手装置４０は、第１水平方向Ａに空隙４１をあけて隣接する２つの天井構造体の一部を構成する天井パネル４２ａ，４２ｂと、各天井パネル４２ａ，４２ｂの相互に対向する各対向部４３ａ，４３ｂにそれぞれ固定され、第１水平方向Ａに垂直な第２水平方向Ｂに延びる縁材４４ａ，４４ｂと、一方の縁材４４ａに第２水平方向Ｂに間隔ΔＬをあけて設けられる複数の案内保持手段４５と、第１水平方向Ａの一端部４６ａおよび他端部４６ｂ間の中間部が各案内保持手段４５によって第１水平方向Ａに移動自在に保持され、第１水平方向Ａの他端部４６ｂが前記他方の縁材４４ｂによって第２水平方向Ｂに移動自在に保持される複数のホルダ部材４７と、各ホルダ部材４７に下方（図１の下方）から固定され、各縁材４４ａ，４４ｂ間の前記空隙４１を覆う可動カバー体４８とを含む。
【００２２】
図３は、案内保持手段４５を拡大して示す側面図であり、図４は図３の左方から見た案内保持手段４５の正面図である。前記複数の案内保持手段４５は、前記一方の縁材４４ａから他方の縁材４４ｂに向かって第１水平方向Ａに延び、前記ホルダ部材４７を第１水平方向Ａに移動自在に保持する案内レール５０と、案内レール５０が固定されるブラケット５１と、ブラケット５１を前記一方の縁材上で支持するばねである圧縮コイルばね５２とを有する。
【００２３】
案内レール５０は、平坦な板状の基部５６と、基部５６との間に両側方に臨んで開放した案内溝５７，５８を形成し、基部５６の下方に臨む表面に一体的に設けられる断面が略Ｌ字状の一対の係合片５９，６０とを有する。
【００２４】
ブラケット５１は、底部６３、図４の左右方向である幅方向の一側部から上方に直角に屈曲して立ち上がる縦リブ６４、底部６３の第１水平方向に平行な長手方向一端部から上方に直角に屈曲した立ち上り部６５、立ち上り部６５の上端部から底部６３とは反対側（図３では左側）に直角に屈曲して水平に延びるばね受け部６６、および縦リブ６４の長手方向中央部と立ち上り部の上部とを連結する連結片６７を有する。このようなブラケット５１は、鋼板を曲げ加工して形成した底部６３、縦リブ６４、立ち上り部６５およびばね受け部６６に、同様な鋼板からなる連結片６７を溶接して、形成される。
【００２５】
ばね受け部６６は、一方の縁材４４ａの直上に、前述したように間隔ΔＬをあけて配置され、この位置には、一方の縁材４４ａに、ばね装着用ボルト６９が、下から上へ突出して挿通され、螺着されたロックナット７０とボルト頭部７１とによって、前記一方の縁材４４ａを挟着した状態で固定される。
【００２６】
こうして一方の縁材４４ａから上方へ突出したばね装着用ボルト６９の軸部には、前記圧縮コイルばね５２が装着され、その上から前記ブラケット５１のばね受け部６６が乗載される。ばね受け部６６を下から上へ挿通した圧縮コイルばね５２には、ワッシャ７２が装着され、抜け止めナット７３が螺着される。
【００２７】
底部６３の下面には、複数のビス７５によって案内レール５０が平行に固定され、立ち上り部６５から底部６３にわたる部分は、一方の縁材４４ａから空隙４１内へ突出し、ブラケット５１は、圧縮コイルばね５２によって上下方向Ｃに変位自在に支持されている。
【００２８】
図５は、ホルダ部材４７を拡大して示す側面図であり、図６は図５の切断面線ＶＩ−ＶＩから見た断面図である。前記ホルダ部材４７は、ホルダ本体７７と、ホルダ本体７７の長手方向一端部にビス７８によって固定される係合片７９とを有する。
【００２９】
ホルダ本体７７は、平坦な幅細状の板状部８０と、板状部８０の幅方向両端部から上方へ直角に屈曲して立ち上がる一対の第１側壁部８１ａ，８１ｂと、各第１側壁部８１ａ，８１ｂの上端部から相互に近接する方向に直角に屈曲する一対の段差部８２ａ，８２ｂと、各段差部８２ａ，８２ｂの最も近接した内側の端部から上方に直角に屈曲して平行に立ち上がる一対の第２側壁部８３ａ，８３ｂと、各第２側壁部８３ａ，８３ｂの上端部から相互に近接する方向に直角に屈曲して延びる一対の嵌合部８４ａ，８４ｂとを有する。このようなホルダ本体７７は、鋼材からなる押し出し形材によって実現される。
【００３０】
係合片７９は、前記ホルダ本体７７の板状部８０と、各第１側壁部８１ａ，８１ｂと、各段差部８２ａ，８２ｂとによって幅方向両側部に形成される一対の凹溝８５ａ，８５ｂに挿入され、板状部８０に前記ビス７８によって固定される板状の挿入部８６と、挿入部８６に直角に屈曲して連なり、ホルダ本体７７の長手方向一端部の端面を塞ぐ端壁部８７と、端壁部８７の上端部から前記挿入部８６とは反対側に直角に屈曲して連なる第１係合部８８と、第１係合部８８から下方に直角に屈曲して連なる第２係合部８９とを有する。このような係合片７９は、鋼材からなる。
【００３１】
再び図１を参照して、各天井パネル４２ａ，４２ｂは、各縁材４４ａ，４４ｂとともにビス９０ａ，９０ｂによって、第２水平方向Ｂに延びる野縁９１ａ，９１ｂに固定される。野縁９１ａ，９１ｂは、第１水平方向Ａに延びる野縁受け９２ａ，９２ｂに固定され、野縁受け９２ａ，９２ｂは、吊り金具９３ａ，９３ｂによってコンクリート梁またはスラブに吊下げられている。
【００３２】
一方の縁材４４ａは、長尺で細幅の鋼板からなり、ビス９０ａによって、一方の天井パネル４２ａの対向部４３ａに、長手方向を第２水平方向Ｂと平行にして、一部を他方の天井パネル４２ｂ側へ突出させた状態で、固定される。
【００３３】
他方の縁材４４ｂは、細幅の平板状の基部９４と、基部９４に下方に突出して連なり断面がＬ字状の脚部９５と、基部９４の前記脚部９５よりも一方の天井パネル４２ａ側に突出する幅方向一端部から上方に直角に屈曲して立ち上がる断面がＬ字状の案内部９６と、基部９４の幅方向他端部から下方に直角に屈曲して連なる断面がＬ字状の係止部９７とを有する。このような他方の縁材４４ｂは、鋼材からなる。
【００３４】
前記他方の縁材４４ｂには、化粧カバー９９が装着される。この化粧カバー９９は、平板部１００と、平板部１００の幅方向一端部から直角に屈曲して連なる断面が逆Ｌ字状の脚部１０１と、平板部１００の幅方向他端部から直角に屈曲して連なる断面が逆Ｌ字状の係止部１０２とを有する。このような化粧カバー９９は、たとえばアルミニウム合金からなる押し出し形材によって実現される。係止部１０２には、パッキン１０３が装着される。
【００３５】
化粧カバー９９は、前記係止部１０２を他方の縁材４４ｂの係止部９７に掛け止めて係止させた状態で、脚部１０１をビス１０４によって他方の縁材４４ｂの脚部９５にねじ止めすることによって、前記他方の縁材４４ｂに装着される。この状態では、前記パッキン１０３が他方の天井パネル４２ｂに弾発的に当接している。
【００３６】
前述したホルダ部材４７は、複数本がブラケット５１と同一間隔で平行に配置され、各ホルダ部材４７には、可動カバー体４８が複数のビス１０５によって固定される。可動カバー体４８の一方の天井パネル４２ａ側に配置される幅方向一端部には、パッキン１０６が装着され、前記天井パネル４２ａに弾発的に当接している。可動カバー体４８の室内空間４９に臨む表面は、前記化粧カバー９９の室内空間４９に臨む表面と同一平面をなし、凹凸のない美観を呈している。
【００３７】
このように可動カバー体４８が化粧カバー９９と同一平面上に配置された状態では、他方の縁材４４ｂの案内部９６によってホルダ部材４７の第１係合部８８が支持され、第２係合部８９の第１水平方向Ａの変位が阻止されるが、第２水平方向Ｂへは自在に移動することが可能である。
【００３８】
本実施の形態によれば、第１水平方向Ａに空隙４１をあけて隣接する２つの天井パネル４２ａ，４２ｂの相互に対向する各対向部４３ａ，４３ｂに、第１水平方向Ａに垂直な第２水平方向Ｂに延びる縁材４４ａ，４４ｂが固定される。
【００３９】
一方の縁材４４ａには、第２水平方向Ｂに間隔をあけて複数の案内保持手段４５が設けられ、これらの案内保持手段４５は、ホルダ部材４７の第１水平方向Ａの中間部を第１水平方向Ａに移動自在に保持し、他方の縁材４４ｂは、ホルダ部材４７の第１水平方向Ａの他端部を第１水平方向Ａの移動が阻止された状態で第２水平方向Ｂに移動自在に保持する。ホルダ部材４７には可動カバー体４８が固定され、この可動カバー体４８によって各縁材４４ａ，４４ｂ間の空隙４１が覆われる。
【００４０】
このようにホルダ部材４７の中間部を案内保持手段４５によって第１水平方向Ａに移動自在に保持し、他端部を他方の縁材４４ｂによって第２水平方向Ｂに移動自在に保持するので、前記従来の技術のように、各天井構造体にそれぞれ設けられる保持手段によってホルダを第１水平方向および第２水平方向に移動自在に保持する構成に比べて、前記案内保持手段４５は片側だけでよく、部品点数を削減し、構成を格段に簡素化することができる。したがって、現場で天井用伸縮継手装置４０を取付けるにあたって、組立て作業および取付け作業を容易化することができ、施工性が向上される。
【００４１】
また本実施の形態によれば、一方の縁材４４ａから他方の縁材４４ｂに向かって第１水平方向Ａに延びる案内レール５０をブラケット５１に固定し、ブラケット５１を圧縮コイルばね５２によって一方の縁材４４ａ上で支持するように案内保持手段４５が構成されるので、ブラケット５１は前記圧縮コイルばね５２を圧縮しまたは伸長させる上下方向Ｃに変位することができ、前記天井パネル４２ａ，４２ｂ、野縁９１ａ，９１ｂ、野縁受け９２ａ，９２ｂおよび吊り金具９３ａ，９３ｂなどを含んで構成される各天井構造体間の上下方向Ｃの変位をも許容することができる。
【００４２】
このようにブラケット５１は、圧縮コイルばね５２の伸縮によって上下方向Ｃの変位も可能であるので、ブラケット５１によって保持されるホルダ部材４７および可動カバー体４８の上下方向Ｃの変位をも、許容することができる。
【００４３】
図７は、本発明の実施の他の形態の天井用伸縮継手装置４０ａを示す鉛直断面図である。なお、本実施の形態の天井用伸縮継手装置４０ａは、図１〜図６に示される前述の実施の形態の天井用伸縮継手装置４０と類似し、他方の縁材４４ｂが略鉛直な壁面１１０に固定される点でのみ相違するため、対応する部分には同一の参照符を付す。
【００４４】
本実施の形態の天井用伸縮継手装置４０ａは、一方の天井構造体の一部を構成する天井パネル４２ａと、この一方の天井パネル４２ａに第１水平方向Ａに空隙４１をあけて隣接し、他方の天井構造体の一部を構成する壁体４２ｂ１と、天井パネル４２ａおよび壁体４２ｂ１の相互に対向する各対向部４３ａ，４３ｂ１にそれぞれ固定され、第１水平方向Ａに垂直な第２水平方向Ｂに延びる縁材４４ａ，４４ｂ１と、一方の縁材４４ａに第２水平方向Ｂに間隔ΔＬをあけて設けられる複数の案内保持手段４５と、第１水平方向Ａの一端部４６ａおよび他端部４６ｂ間の中間部が各案内保持手段４５によって第１水平方向Ａに移動自在に保持され、第１水平方向Ａの他端部４６ｂが前記他方の縁材４４ｂによって第２水平方向Ｂに移動自在に保持される複数のホルダ部材４７と、各ホルダ部材４７に下方（図７の下方）から固定され、各縁材４４ａ，４４ｂ間の前記空隙４１を覆う可動カバー体４８とを含む。
【００４５】
前記他方の縁材４４ｂ１は、断面が略Ｌ字状であって、前述の実施の形態の他方の縁材４４ｂと同様な案内部９６と、この案内部９６に一体的に連なる基部１１１とを有し、鋼材からなる押し出し形材によって実現される。基部１１１は、アンカー体１１２によって壁体４２ｂ１の壁面１１０に固定される。
【００４６】
このような他方の縁材４４ｂ１は、第２水平方向Ｂに延び、案内部９６には係合片７９の第１および第２係合部８８，８９が上方から係合して、可動カバー体４８の第１水平方向Ａの移動を阻止し、第２水平方向Ｂの移動を許容する。
【００４７】
可動カバー体４８の幅方向他端部には、パッキン１１３が装着され、壁面１１０に弾発的に当接し、隙間の発生を防止している。
【００４８】
本実施の形態によれば、第１水平方向Ａに空隙４１をあけて隣接する一方の天井パネル４２ａと壁体４２ｂ１との相互に対向する各対向部４３ａ，４３ｂ１に、第１水平方向Ａに垂直な第２水平方向Ｂに延びる縁材４４ａ，４４ｂ１が固定される。
【００４９】
一方の縁材４４ａには、第２水平方向Ｂに間隔をあけて複数の案内保持手段４５が設けられ、これらの案内保持手段４５は、ホルダ部材４７の第１水平方向Ａの中間部を第１水平方向Ａに移動自在に保持し、他方の縁材４４ｂ１は、ホルダ部材４７の第１水平方向Ａの他端部を第１水平方向Ａの移動が阻止された状態で第２水平方向Ｂに移動自在に保持する。ホルダ部材４７には可動カバー体４８が固定され、この可動カバー体４８によって各縁材４４ａ，４４ｂ１間の空隙４１が覆われる。
【００５０】
このようにホルダ部材４７の中間部を案内保持手段４５によって第１水平方向Ａに移動自在に保持し、他端部を他方の縁材４４ｂ１によって第２水平方向Ｂに移動自在に保持するので、前記従来の技術のように、各天井構造体にそれぞれ設けられる保持手段によってホルダを第１水平方向および第２水平方向に移動自在に保持する構成に比べて、前記案内保持手段４５は片側だけでよく、部品点数を削減し、構成を格段に簡素化することができる。したがって、現場で天井用伸縮継手装置４０ａを取付けるにあたって、組立て作業および取付け作業を容易化することができ、施工性が向上される。
【００５１】
また本実施の形態の天井用伸縮継手装置４０ａによれば、一方の天井構造体の一部を天井パネル４３ａを含むと構成とし、他方の天井構造体が壁体４２ｂ１であっても、一方の縁材４４ａから他方の縁材４４ｂ１に向かって第１水平方向Ａに延びる案内レール５０をブラケット５１に固定し、ブラケット５１を圧縮コイルばね５２によって一方の縁材４４ａ上で支持するように案内保持手段４５が構成されるので、ブラケット５１は前記圧縮コイルばね５２を圧縮しまたは伸長させる上下方向Ｃに変位することができ、前記天井パネル４２ａ、野縁９１ａ、野縁受け９２ａおよび吊り金具９３ａなどを含んで構成される天井構造体と壁体４２ｂ１との間の上下方向Ｃの変位をも許容することができる。
【図面の簡単な説明】
【００５２】
【図１】本発明の実施の一形態の天井用伸縮継手装置４０を示す鉛直断面図である。
【図２】図１の上方から見た案内保持手段４５の平面図である。
【図３】案内保持手段４５を拡大して示す側面図である。
【図４】図３の左方から見た案内保持手段４５の正面図である。
【図５】ホルダ部材を拡大して示す側面図である。
【図６】図５の切断面線ＶＩ−ＶＩから見た断面図である。
【図７】本発明の実施の他の形態の天井用伸縮継手装置４０ａを示す鉛直断面図である。
【図８】従来の技術の天井用伸縮継手装置１を示す鉛直断面図である。
【符号の説明】
【００５３】
４０，４０ａ  天井用伸縮継手装置
４１  空隙
４２ａ，４２ｂ  天井パネル
４２ｂ１  壁体
４３ａ，４３ｂ，４３ｂ１  対向部
４４ａ，４４ｂ，４４ｂ１  縁材
４５  案内保持手段
４７  ホルダ部材
４８  可動カバー体
５０  案内レール
５１  ブラケット
５２  圧縮コイルばね
５６  基部
５７，５８  案内溝
５９，６０  係合片
６６  ばね受け部
７７  ホルダ本体
７９  係合片
８８  第１係合部
８９  第２係合部
９９  化粧カバー
Ａ  第１水平方向
Ｂ  第２水平方向
Ｃ  上下方向
【図１】
2006089938.tif 000003
【図２】
2006089938.tif 000004
【図３】
2006089938.tif 000005
【図４】
2006089938.tif 000006
【図５】
2006089938.tif 000007
【図６】
2006089938.tif 000008
【図７】
2006089938.tif 000009
【図８】
2006089938.tif 000010